(57)【要約】【課題】鑑賞装置の用途以外にも十分な容量の物品を収納することができる包装容器としての利用が可能で、かつ、鑑賞装置としての鑑賞の利便性を向上させたプロジェクションマッピング鑑賞機能付き包装容器を安価に提供する。【解決手段】略直方体形状の包装箱の中に単板状の透明板部材が収納され、前記包装箱の１つの面板には窓形成部が設けられ、前記取り込み対向面には固定部が設けられ、前記映像取り込み面と前記取り込み対向面に連設された４つの側面板のうち少なくとも１つの面板には鑑賞窓形成部が設けられていて、前記透明板部材を前記固定部に固定した状態で前記取り込み対向面と前記透明板部材との間に被鑑賞物体を配置して鑑賞窓から前記被鑑賞物体を見た際にプロジェクションマッピング鑑賞が行えることを特徴とするプロジェクションマッピング鑑賞機能付き包装容器。【選択図】図２
2018135140.tif 000002
【特許請求の範囲】
【請求項１】
６つの面板から構成される略直方体形状の包装箱の中に単板状の透明板部材が収納され、
前記包装箱の１つの面板には映像を取り込むための窓を形成する窓形成部が設けられ、
前記包装箱の前記窓形成部が設けられた面板を映像取り込み面、前記映像取り込み面と対向する面板を取り込み対向面、とした場合、
前記取り込み対向面には前記透明板部材を固定する固定部が設けられ、
前記映像取り込み面と前記取り込み対向面に連設された４つの側面板のうち少なくとも１つの面板には前記透明板部材を介して前記包装箱の中を見ることが可能な鑑賞窓を形成する鑑賞窓形成部が設けられていて、
前記透明板部材を前記固定部に固定した状態で前記取り込み対向面と前記透明板部材との間に被鑑賞物体を配置し、前記映像を取り込むための窓から取り込んだ映像を前記透明板部材で反射させることにより、前記鑑賞窓から前記被鑑賞物体を見た際に前記被鑑賞物体の表面に前記映像を取り込むための窓から取り込んだ映像が重畳されて見えることを特徴とするプロジェクションマッピング鑑賞機能付き包装容器。
【請求項２】
請求項１に記載のプロジェクションマッピング鑑賞機能付き包装容器であって、
前記映像取り込み面は前記包装箱の天面板であり、
前記映像を取り込むための窓の上面に映像表示携帯端末を載置することにより、前記映像を取り込むための窓から映像を取り込むことを特徴とするプロジェクションマッピング鑑賞機能付き包装容器。
【請求項３】
請求項１または２に記載のプロジェクションマッピング鑑賞機能付き包装容器であって、
前記透明板部材は折り曲げ線を有していて、
前記透明板部材は前記折り曲げ線を境に複数の反射面を形成した状態で前記固定部に固定されることを特徴とするプロジェクションマッピング鑑賞機能付き包装容器。
【請求項４】
請求項３に記載のプロジェクションマッピング鑑賞機能付き包装容器であって、
折り曲げられた前記透明板部材の各反射面を介して前記包装箱の中を見ることが可能な鑑賞窓を形成する鑑賞窓形成部が、前記映像取り込み面と前記取り込み対向面の間の４つの面板のうちの２以上の面板に設けられていることを特徴とするプロジェクションマッピング鑑賞機能付き包装容器。
【発明の詳細な説明】
【技術分野】
【０００１】
本発明は、スマートフォン等の映像表示携帯端末に表示される映像を用いて包装箱内に配置した被鑑賞物体にプロジェクションマッピングを施し、それを鑑賞する機能を備えたプロジェクションマッピング鑑賞機能付き包装容器に関する。
【背景技術】
【０００２】
近年、立体的な被鑑賞物体に映像を投影し、前記被鑑賞物体の表面に前記映像を重畳させたものを鑑賞するプロジェクションマッピング技術が広く使われており、観光地等の建物等を被鑑賞物体としてプロジェクションマッピングによる演出を行うことにより、集客効果を得ようとする試みが多く行われている。
【０００３】
一方、物品を収納包装する包装容器において、近年、包装容器に物品を収納して輸送する本来の包装機能以外の機能を付加して包装容器自体の付加価値を高めることにより、当該包装容器に包装された物品の販売を促進しようとする動きがある。
【０００４】
このような流れを受けて、プロジェクションマッピング鑑賞機能を付加した包装容器が提案されている（例えば、特許文献１〜４）。
【０００５】
特許文献１〜４ではいずれも、箱体の内部に立体オブジェクト（被鑑賞物体）を配置し、透明板を前記立体オブジェクトの前に斜めに立てかけて固定し、前記箱体上面から投影する映像を前記透明板に反射させて前記透明板の前方から鑑賞することにより、前記立体オブジェクトに前記映像を重畳して表示することが可能な映像表示装置が開示されている。
【０００６】
しかし、特許文献１〜４のような映像表示装置において使用される透明板は、複数の透明薄板を積層した構成となっているため折り曲げて収納することは困難である。そのため、予め箱体の内部に前記立体オブジェクトと共に前記透明板を収納する際にも、前記透明板が前記箱体内に斜めに立てかけられた状態で収納される。これにより、前記箱体内に前記立体オブジェクトと前記透明板の他に何らかの商品等を同封しようとしても、当該商品等を入れるスペースは前記箱体の容量に比べて非常に小さなものとなってしまうという問題があった。
また、複数の透明薄板を積層させることにより、１枚の単板を使用する場合に比べて製造コストが上昇してしまうという問題もあった。
【０００７】
さらに、特許文献１〜４のような映像表示装置では、前記透明板を前記立体オブジェクト前に斜めに立てかける際、前記立体オブジェクトの上面の傾斜面と前記箱体の底面とに接するようにして立てかけるだけであり、前記透明板の位置を固定しないまま使用することが想定されている。そのため、当該映像表示装置を用いてプロジェクションマッピングを鑑賞している際に当該映像表示装置に触れたり、前記透明板を斜めに立てかけた後に前記箱体の上面にスマートフォン等の映像表示携帯端末を配置する際に前記立体オブジェクトや前記透明板に触れたりする等して外力が加わると、その度に前記透明板の位置がずれてしまうという問題もあった。
【先行技術文献】
【特許文献】
【０００８】
【特許文献１】特許第５８０８７７７号公報
【特許文献２】特開２０１５−９０４０７号公報
【特許文献３】特開２０１５−９０４０８号公報
【特許文献４】特開２０１６−６５４２号公報
【発明の概要】
【発明が解決しようとする課題】
【０００９】
本発明は上記のような事情に鑑みてなされたもので、手軽にプロジェクションマッピング鑑賞をすることができるプロジェクションマッピング鑑賞機能付き包装容器であって、プロジェクションマッピング鑑賞装置の用途以外にも十分な容量の物品を収納することができる包装容器としての利用が可能で、かつ、プロジェクションマッピング鑑賞装置としての鑑賞の利便性を向上させたプロジェクションマッピング鑑賞機能付き包装容器を安価に提供することを課題とする。
【課題を解決するための手段】
【００１０】
本発明は係る課題に鑑みなされたものであり、本発明のプロジェクションマッピング鑑賞機能付き包装容器は、６つの面板から構成される略直方体形状の包装箱の中に単板状の透明板部材が収納され、前記包装箱の１つの面板には映像を取り込むための窓を形成する窓形成部が設けられ、前記包装箱の前記窓形成部が設けられた面板を映像取り込み面、前記映像取り込み面と対向する面板を取り込み対向面、とした場合、前記取り込み対向面には前記透明板部材を固定する固定部が設けられ、前記映像取り込み面と前記取り込み対向面に連設された４つの側面板のうち少なくとも１つの面板には前記透明板部材を介して前記包装箱の中を見ることが可能な鑑賞窓を形成する鑑賞窓形成部が設けられていて、前記透明板部材を前記固定部に固定した状態で前記取り込み対向面と前記透明板部材との間に被鑑賞物体を配置し、前記映像を取り込むための窓から取り込んだ映像を前記透明板部材で反射させることにより、前記鑑賞窓から前記被鑑賞物体を見た際に前記被鑑賞物体の表面に前記映像を取り込むための窓から取り込んだ映像が重畳されて見えることを特徴とする。
【００１１】
また、本発明のプロジェクションマッピング鑑賞機能付き包装容器において、前記映像取り込み面を前記包装箱の天面板とし、前記映像を取り込むための窓の上面に映像表示携帯端末を載置することにより、前記映像を取り込むための窓から映像を取り込むような構成としても良い。
【００１２】
また、本発明のプロジェクションマッピング鑑賞機能付き包装容器の前記透明板部材は折り曲げ線を有していて、前記透明板部材は前記折り曲げ線を境に複数の反射面を形成した状態で前記固定部に固定されるのであっても良い。
また、このとき、折り曲げられた前記透明板部材の各反射面を介して前記包装箱の中を見ることが可能な鑑賞窓を形成する鑑賞窓形成部が、前記映像取り込み面と前記取り込み対向面の間の４つの面板のうちの２以上の面板に設けられていても良い。
【発明の効果】
【００１３】
本発明のプロジェクションマッピング鑑賞機能付き包装容器は、略直方体形状の包装箱と、単板状の透明板部材と、で構成されており、プロジェクションマッピング鑑賞機能を有するための必要最低限の簡素な部材のみで構成されているため、非常に安価に提供することが可能である。
加えて、プロジェクションマッピング鑑賞装置用途として利用しない場合には、物品を収納包装する通常の包装容器として利用することが可能である。
また、前記包装箱には前記透明板部材を固定する固定部が設けられているため、前記透明板部材の配置後に映像投影用の映像表示携帯端末を配置する際や、本発明のプロジェクションマッピング鑑賞機能付き包装容器を用いてプロジェクションマッピングを鑑賞している際に、当該プロジェクションマッピング鑑賞機能付き包装容器に外力が加わったとしても、前記透明板部材の位置がずれてしまう虞がない。これにより、プロジェクションマッピング鑑賞装置としての鑑賞の利便性を向上させることが可能となる。
さらに、前記透明板部材は単板状であるため、製造コストが抑えられるだけでなく、折り曲げたり撓ませたりすることも容易である。これにより、前記透明板部材の収納スペースを小さくすることができるため、本発明のプロジェクションマッピング鑑賞機能付き包装容器を、物品を収納包装する包装容器として利用する際には、前記包装箱の大きさに見合った十分な容量の物品を収納することが可能となる。
【００１４】
また、本発明のプロジェクションマッピング鑑賞機能付き包装容器において、前記映像取り込み面を前記包装箱の天面板とし、前記映像を取り込むための窓の上面に映像表示携帯端末を載置する構成とすることにより、映像表示携帯端末を起立させた状態で保持する保持部材等を別途用意する必要がなく、より手軽にプロジェクションマッピング鑑賞をすることが可能となる。
【００１５】
また、本発明のプロジェクションマッピング鑑賞機能付き包装容器の前記透明板部材を、折り曲げ線を有する構造とすることにより、前記透明板部材を前記包装箱内に収納する際には前記折り曲げ線で折り曲げた状態で収納することが可能となる。
また、前記透明板部材を、前記折り曲げ線を境にして複数の反射面を形成した状態で前記固定部に固定される構成とすることにより、プロジェクションマッピングの表示を複数方向に行うことも可能となる。
【００１６】
また、折り曲げられた前記透明板部材の各反射面を介して前記包装箱の中を見ることが可能な鑑賞窓を形成する鑑賞窓形成部を、前記映像取り込み面と前記取り込み対向面の間の４つの面板のうちの２以上の面板に設けることにより、複数人が同時に別々の前記鑑賞窓からプロジェクションマッピング鑑賞を楽しむことも可能となる。
【図面の簡単な説明】
【００１７】
【図１】本発明のプロジェクションマッピング鑑賞機能付き包装容器の実施形態における各部材の展開図を模式的に示した説明図である。
【図２】本発明のプロジェクションマッピング鑑賞機能付き包装容器の実施形態を包装容器として利用する場合の、組み立て途中の状態を模式的に示した説明図である。
【図３】本発明のプロジェクションマッピング鑑賞機能付き包装容器をプロジェクションマッピング鑑賞装置として利用する場合の第１の手順を模式的に示した説明図である。
【図４】本発明のプロジェクションマッピング鑑賞機能付き包装容器をプロジェクションマッピング鑑賞装置として利用する場合の第２の手順を模式的に示した断面説明図である。
【図５】本発明のプロジェクションマッピング鑑賞機能付き包装容器をプロジェクションマッピング鑑賞装置として利用する場合の第３の手順を模式的に示した説明図である。
【図６】本発明のプロジェクションマッピング鑑賞機能付き包装容器をプロジェクションマッピング鑑賞装置として利用する場合の利用状態を模式的に示した説明図である。
【発明を実施するための形態】
【００１８】
以下、本発明を実施するための第１実施形態につき図面を参照して説明する。
【００１９】
本発明のプロジェクションマッピング鑑賞機能付き包装容器１は、包装箱２及び透明板部材３から構成される。
【００２０】
包装箱２を構成するブランクシートは、商品を包装した状態で輸送することを考慮した強度を有して投影された映像を鮮やかに映すことが可能な材料であれば良く、安価で加工を容易にすることも考慮すれば、具体的には両面段ボールや複両面段ボール等の段ボール
、白ボール紙等の板紙、若しくは厚紙を用いて、内面を黒色に印刷若しくは着色されていることが好ましい。また、そのおもて面や裏面に樹脂層などが設けられていても良い。
【００２１】
包装箱２を構成するブランクシートは、図１に示すように、後面板２１、天面板２２、前面板２３、底面板２４、糊代片２４ａの順に折り曲げ線を介して連設されている。
天面板２２の左右には左側面内板２５ａと右側面内板２５ｃが折り曲げ線を介して連設され、左側面内板２５ａの先端には差し込み板２５ｂが、右側面内板２５ｃの先端には差し込み板２５ｄが、それぞれ連設されている。そして、天面板２２と左側面内板２５ａ及び右側面内板２５ｃとの境界部には係止部２２ａ、２２ａが形成されている。
また、底面板２４の左右には左側面外板２６ａと右側面外板２６ｃが折り曲げ線を介して連接され、左側面外板２６ａの先端には差し込み片２６ｂが、右側面外板２６ｂの先端には差し込み片２６ｄが、それぞれ連設されている。
また、後面板２１と前面板２３の左右には内フラップ２１ａ、２１ａ、２３ａ、２３ａが連接されている。
【００２２】
本実施形態においては、天面板２２を映像取り込み面とし、底面板２４を取り込み対向面とする構成を示しているため、映像取り込み面である天面板２２に窓形成部２７を、取り込み対向面である底面板２４に固定部２８を、それぞれ設けている。なお、固定部２８は、本実施形態においては、後述する通り透明板部材３を２つ折りにして固定することを想定しているため、２つの切り込み線で構成されているが、固定部２８の数、形状、及び配置は透明板部材３を固定する位置や方向に応じて任意に設計することが可能である。また、固定部２８の形成方法も切り込み線に限らず、透明板部材３を任意位置に固定することが可能で、かつ、物品を収納包装する包装容器として包装箱２を利用する際に支障をきたさないものであれば良い。
【００２３】
また、本実施形態においては、左側面外板２６ａ及び右側面外板２６ｃを底面板２４に対して折り曲げ線を介して連設する構造としているが、当該折り曲げ線を切り取り線に変更して、プロジェクションマッピング鑑賞機能付き包装容器１をプロジェクションマッピング鑑賞装置として利用する際には左側面外板２６ａ及び右側面外板２６ｃを切り離す構造としても良い。
【００２４】
また、前面板２３には、プロジェクションマッピング鑑賞機能付き包装容器１をプロジェクションマッピング鑑賞装置として利用する際に被鑑賞物体を挿入する挿入口形成部２９が形成されており、左側面内板２５ａ及び右側面内板２５ｃには、透明板部材３を介して包装箱２の中を見ることが可能な鑑賞窓２０ａ、２０ｂが形成されている。
ここで、本実施形態においては、左右の側面を内板（左側面内板２５ａ及び右側面内板２５ｃ）と外板（左側面外板２６ａ及び右側面外板２６ｃ）の２枚を重ね合わせる２重構造としているため、内板（左側面内板２５ａ及び右側面内板２５ｃ）に予め鑑賞窓２０ａ、２０ｂを形成する構成としているが、これに限らず、映像取り込み面と取り込み対向面に連設された４つの側面板（側面）のうち少なくとも１つの面板（本実施形態では、２つ折りした透明板部材３を利用して左右両面から鑑賞することを想定しているため、左右の側面板）に鑑賞窓若しくは鑑賞窓が形成可能な鑑賞窓形成部が設けられていれば良い。具体的には、左右の側面を１重構造とした場合には予め孔を開けた鑑賞窓を設けるのではなくミシン目等により区画した鑑賞窓形成部２０ａ、２０ｂとしたり、本実施形態と同様の２重構造であっても内容物の保存性等を考慮して、孔を開けずにミシン目等により区画した鑑賞窓形成部２０ａ、２０ｂとしたりしても良い。
【００２５】
また、挿入口形成部２９についても、本実施形態では全周が切り取り線で区画されているが、これに限らず被鑑賞物体４を包装箱２内に挿入できれば良く、例えば、周縁部の一部を折り曲げ線にしても良い。
【００２６】
次に、包装箱２を図１に示すブランクシートの状態から箱形態へと組み立てる際の組み立てについて説明する。
【００２７】
包装箱２を組み立てる際はまず、後面板２１、天面板２２、前面板２３、及び底面板２４を折り曲げ線で略直角に折り曲げて、底面板２４の先端に連接された糊代片２４ａを後面板２１の裏面に接着することにより、四角筒形状を形成する。
次に、左側面内板２５ａ及び右側面内板２５ｃを折り曲げ線で略直角に折り曲げて、各先端に連設された差し込み板２５ｂ、２５ｄを底面板２４の内表面に接するように挿入することにより、図２に示す状態に組み立てられる。
【００２８】
その後、左側面外板２６ａ及び右側面外板２６ｃを左側面内板２５ａ及び右側面内板２５ｃの外表面を覆うようにして折り立てて、各先端に連接された差し込み片２６ｂ、２６ｄを係止部２２ａ、２２ａに挿入することにより、略直方体形状の包装箱２の組み立てが完了する。
【００２９】
次に、透明板部材３について説明する。透明板部材３を構成する板は、単板状の透明板からなり、投影された映像を反射して透明板部材３の奥側に配置された被鑑賞物体４上に当該映像が表示されるように透視できる材料であれば良く、具体的には、アクリルやポリエチレンテレフタレートなどの透明樹脂が好適に使用される。
【００３０】
本実施形態における透明板部材３は、図１に示すように、左右略中央に折り曲げ線３１を有し、折り曲げ線３１を境に左反射面３２ａ及び右反射面３２ｂの２つの反射面を有している。ここで、透明板部材３は折り曲げ線３１を有さずに１つの反射面として利用するのでも良いが、以下の理由から折り曲げ線３１を形成して複数の反射面を有する構成とすることが好ましい。理由の１つは、複数人が同時に別々の鑑賞位置でプロジェクションマッピング鑑賞を楽しめるようにすることにより、鑑賞の利便性を向上させる構造を実現するためである。理由のもう１つは、透明板部材３の収納スペースを小さくするためである。単板状の透明板部材３を使用するため、折り曲げ線３１を設けなくても折り曲げたり撓ませたりすることにより、他物品の収納の邪魔とならないように透明板部材３を収納することは可能ではあるが、予め折り曲げ線３１を有して折り曲げられる構造としておく方がより確実に透明板部材３の収納スペースを小さくすることが可能となる。
また、透明板部材３の各反射面３２ａ、３２ｂは垂直位置からの傾斜角が略４５度の場合に最も美麗に映像を反射することが可能となるため、包装箱２の底面板２４に設ける固定部２８は、透明板部材３の反射面３２ａ、３２ｂの傾斜角が略４５度となるように透明板部材３を固定できる位置に形成する。
【００３１】
透明板部材３は、プロジェクションマッピング鑑賞機能付き包装容器１を、物品を収納包装する包装容器として利用する際には、図２に示すように、左反射面３２ａと右反射面３２ｂを重ね合わせるように折り曲げ線３１で２つに折り曲げた状態で収納する。これにより、包装箱２の大きさに見合った十分な容量の物品を収納することが可能となる。なお、輸送時等に透明板部材３に傷が付いたり同封する物品の表面が付着して汚れたりすることを防止するために、透明板部材３を保護する個別包装袋や仕切り板等を用意しても良い。
【００３２】
以上説明した部材からなるプロジェクションマッピング鑑賞機能付き包装容器１を、物品を収納して輸送する包装容器として利用する場合には、図２（収納物品は図示せず）に示すように、前述の通りに組み立てた包装箱２の中に折り曲げた透明板部材３を収納し、飲食料品等の収納物品を同封する。ここで、プロジェクションマッピング鑑賞機能付き包装容器１を手にした使用者がすぐにプロジェクションマッピング鑑賞を楽しめるようにす
ることを考慮し、包装箱２内に同封する前記収納物品をプロジェクションマッピングの被鑑賞物体４とするのでも良い。
その後、左側面外板２６ａ及び右側面外板２６ｃを左側面内板２５ａ及び右側面内板２５ｃの外表面を覆うようにして折り立てて、各先端に連接された差し込み片２６ｂ、２６ｄを係止部２２ａ、２２ａに挿入することにより、輸送用の包装容器として利用できる。
【００３３】
次に、包装容器として利用したプロジェクションマッピング鑑賞機能付き包装容器１を、プロジェクションマッピング鑑賞装置として利用する場合に使用者が行う作業について説明する。
プロジェクションマッピング鑑賞機能付き包装容器１を包装容器からプロジェクションマッピング鑑賞装置へと変形する際にはまず、図３に示すように、左右いずれかの側面（図３では左側面）の外板（左側面外板２６ａ）及び内板（左側面内板２５ａ）を開いて透明板部材３及び同封の収納物品を取り出した後、包装箱２の天面板（映像取り込み面）２２に設けられた窓形成部２７を切り取り線に沿って切除し、映像取り込み窓を開口する。
【００３４】
次に、包装箱２の底面板（取り込み対向面）２４に設けられた固定部２８、２８を折り曲げ線に沿って起立させた後、透明板部材３を折り曲げ線３１を上方にした山折形状で左右いずれかの側面（例えば左側面）から挿入し、左反射面３２ａの外表面端部と左側の固定部２８の内表面、右反射面３２ｂの外表面端部と右側の固定部２８の内表面、がそれぞれ接するようにして透明板部材３を図４に示すような状態に固定する。ここで、図４は、包装箱２内に透明板部材３を固定した状態を示す断面説明図であり、包装箱２の前後方向略中央で切断したときの断面説明図である。透明板部材３を固定した後、開いていた側面の内板（例えば左側面内板２５ａ）を閉じる。
【００３５】
次に、包装箱２の前面板２３に設けられた挿入口形成部２９を切り取り線に沿って切除し、図５に示すように、被鑑賞物体挿入口を開口する。なお、挿入口形成部２９は完全に切除せずに一部を切り開いて前方に倒したままとする構成としても良いし、左側面外板２６ａ及び右側面外板２６ｃは底面板２４との境界部から切り離す構成としても良い。
但し、鑑賞に際しては、外部からの光が入らない方が映像がより明瞭となることから、切除せずに折り曲げ線により連設する形で設け、再封（仮止め）可能に形成するのが好ましい。
【００３６】
そして、挿入口形成部２９を切除して前面板２３に設けた被鑑賞物体挿入口より被鑑賞物体４を包装箱２内に挿入して底面板２４上に配置し、天面板（映像取り込み面）２２に設けられた映像取り込み窓にディスプレイを対向させるように、ディスプレイ面を下方にした状態で天面板２２上に映像表示携帯端末５を載置する。これにより、図６に示すように、プロジェクションマッピング鑑賞装置の組み立てが完了する。ここで、映像表示携帯端末５は、スマートフォンやＰＤＡ（Ｐｅｒｓｏｎａｌ  Ｄｉｇｉｔａｌ  Ａｓｓｉｓｔａｎｔ若しくはＰｅｒｓｏｎａｌ  Ｄａｔａ  Ａｓｓｉｓｔａｎｃｅ）等の映像表示機能を有する携帯端末である。
【００３７】
プロジェクションマッピング鑑賞機能付き包装容器１を用いてプロジェクションマッピング鑑賞する際には、上述の通りに組み立てた後、映像表示携帯端末５のディスプレイに投影したい映像を表示させた状態で、図６に示すようにディスプレイ面を下方にして映像表示携帯端末５を天面板２２上に載置する。すると、映像表示携帯端末５のディスプレイに表示された映像が透明板部材３の左反射面３２ａ及び右反射面３２ｂで反射され、底面板２４上に載置された被鑑賞物体４の表面に映像が重畳するように表示された状態を、図６中のＬ，Ｒの２方向の鑑賞窓２０ａ、２０ｂから鑑賞することが可能となる。
ここで、映像表示携帯端末５のディスプレイに表示する映像は、使用者が任意に選ぶのであっても良いし、包装箱２に印字されたＱＲコード(登録商標）やＵＲＬ等から取得する指定の映像で
あっても良い。
【００３８】
以上説明したように、プロジェクションマッピング鑑賞機能付き包装容器１に収納された物品を購入した使用者は、包装箱２の一部に切り取り線等で区画されて設けられた映像取り込み窓、鑑賞窓、及び被鑑賞物体挿入口を開口し、同じく包装箱２の一部に設けられた固定部２８、２８を利用して同封の透明板部材３を所定位置に配置し、被鑑賞物体４を配置し、手持ちの映像表示携帯端末５を映像取り込み面２２上に配置するだけで映像表示携帯端末５のディスプレイに表示される映像を被鑑賞物体４の表面に重畳させて表示するプロジェクションマッピングを手軽に鑑賞することができるプロジェクションマッピング鑑賞装置として利用することが可能となる。
【符号の説明】
【００３９】
１・・・プロジェクションマッピング鑑賞機能付き包装容器
２・・・包装箱
２０ａ、２０ｂ・・・鑑賞窓（鑑賞窓形成部）
２１・・・後面板
２１ａ・・・内フラップ
２２・・・天面板（映像取り込み面）
２２ａ・・・係止部
２３・・・前面板
２３ａ・・・内フラップ
２４・・・底面板（取り込み対向面）
２４ａ・・・糊代片
２５ａ・・・左側面内板
２５ｂ・・・差し込み板
２５ｃ・・・右側面内板
２５ｄ・・・差し込み板
２６ａ・・・左側面外板
２６ｂ・・・差し込み片
２６ｃ・・・右側面外板
２６ｄ・・・差し込み片
２７・・・窓形成部
２８・・・固定部
２９・・・挿入口形成部
３・・・透明板部材
３１・・・折り曲げ線
３２ａ・・・左反射面
３２ｂ・・・右反射面
４・・・被鑑賞物体
５・・・映像表示携帯端末
【図１】
2018135140.tif 000003
【図２】
2018135140.tif 000004
【図３】
2018135140.tif 000005
【図４】
2018135140.tif 000006
【図５】
2018135140.tif 000007
【図６】
2018135140.tif 000008